【事件の表示】
　特許第２７６５８４６号「記録用フィルムと記録済フィルムおよび電飾看板フィルム」の請求項２、４に係る特許に対する特許異議の申立てについて、次のとおり決定する。
【結論】
　訂正を認める。
　特許第２７６５８４６号の請求項１ないし４に係る特許を維持する。
【理由】
Ｉ．手続の経緯と本件発明
　本件特許第２７６５８４６号は、昭和６３年１月２０日の出願であって、平成１０年４月３日に特許の設定登録がなされた。
　本件特許公報は、平成１０年６月１８日に発行され、その特許に対して、株式会社ディスクより特許異議の申立があり、取消理由通知がなされ、その指定期間内の平成１１年７月６日付で訂正請求がなされた。
ＩＩ．訂正の適否に対する判断
（１）訂正の要旨
　訂正請求された訂正事項は、
　特許明細書の特許請求の範囲に記載された、
　「【請求項１】透明なプラスチックフィルムの片面に樹脂成分を主体とする透明な画像定着層が設けられ、もう一方の片面には乳白層が設けられ、全光線透過率が３〜８５％、ヘイズ度が３０〜９８％であることを特徴とする記録用フィルム。
　【請求項２】乳白なプラスチックフィルムの少なくとも片面に樹脂成分を主体とする透明な画像定着が設けられ、全光線透過率が３〜８５％、ヘイズ度が３０〜９８％であることを特徴とする記録用フィルム。
　【請求項３】前記の透明な画像定着層がゴム系樹脂または／およびスチレン系樹脂を主成分とする溶液と、粒径３〜１００ミリμｍのシリカゾルとの混合液を塗布した層であることを特徴とする特許請求の範囲第１項または第２項記載の記録用フィルム。
　【請求項４】特許請求の範囲第１項、第２項または第３項記載の記録用フィルムの片面にある前記の透明な画像定着層に画像が記録されていることを特徴とする記録済フィルム。
　【請求項５】特許請求の範囲第１項、第２項または第３項記載の記録用フィルムの片面にある前記の透明な画像定着層に画像が記録され、該片面とは別なもう一方の面に同一画像が重複して記録されていることを特徴とする電飾看板フィルム。」との記載を、
「【請求項１】透明なプラスチックフィルムの片面に樹脂成分を主体とする透明な画像定着層が設けられ、もう一方の片面には乳白層が設けられ、全光線透過率が３〜８５％、ヘイズ度が３０〜９８％であることを特徴とする記録用フィルム。
　【請求項２】前記の透明な画像定着層がゴム系樹脂または／およびスチレン系樹脂を主成分とする溶液と、粒径３〜１００ミリμｍのシリカゾルとの混合液を塗布した層であることを特徴とする特許請求の範囲第１項記載の記録用フィルム。
　【請求項３】特許請求の範囲第１項または第２項記載の記録用フィルムの片面にある前記の透明な画像定着層に画像が記録されていることを特徴とする記録済フィルム。
　【請求項４】特許請求の範囲第１項または第２項記載の記録用フィルムの片面にある前記の透明な画像定着層に画像が記録され、該片面とは別なもう一方の面に同一画像が重複して記録されていることを特徴とする電飾看板フィルム。」と訂正するものである。
（２）訂正の目的の適否と訂正要件
　本件訂正は、特許明細書の特許請求の範囲において、請求項２を削除し、併せて、請求項３、請求項４及び請求項５において請求項２を引用していた部分を削除した上で、請求項３〜５の番号を２〜４に繰り上げるものであるから、特許請求の範囲の減縮を目的とする訂正及び請求項２の削除によって生じた記載の不整合を正す、明りょうでない記載の釈明を目的とする訂正に該当する。
　そして、削除された旧請求項２以外の請求項に係る部分は、願書に添付された明細書に記載されていたものであるから、該訂正は、願書に添付した明細書の範囲内の訂正であり、新規事項を追加するものでもない。
（３）独立特許要件
　取消理由の概要は、訂正前の明細書の特許請求の範囲の、請求項２及び請求項４に係る発明（は、その出願前に頒布されたことが明らかな特開昭５８−１０２２４５号公報に記載された発明であるから、該請求項に係る発明の特許は、特許法第２９条第１項第３号の規定に違反して特許されたものであり、その特許を取り消す、というものである。
　取消理由について検討する。
　本件訂正により、訂正前の特許請求の範囲の請求項２は削除され、請求項３、請求項４及び請求項５に含まれていた、請求項２を引用する部分も削除されたため、取消理由の対象は消滅した。
　このため、訂正後の請求項１ないし請求項４に係る発明は、出願の際に独立して特許を受けることができないものではない。
（４）むすび
　したがって、本件訂正請求は、特許法第１２０条の４第２項及び同条第３項で準用する特許法第１２６条第２項ないし第４項の規定に適合するので、当該訂正請求を認める。
ＩＩＩ．特許異議申立について
（１）本件特許
　本件特許第２７６５８４６号の請求項１ないし請求項４に係る発明は、その特許請求の範囲に記載された事項により特定されるとおりのものである。（上記「訂正事項」参照）
　（２）特許異議申立の理由の概要
　特許異議申立人　株式会社ディスクは、甲第１号証ないし甲第４号証を提出して、（イ）請求項２に係る発明は、本件特許の出願前に出願され、出願後に公開公報が発行された甲第１号証に記載された発明であるから、特許法第２９条の２第１項の規定により、その特許を取消すべき旨、及び、（ロ）請求項２及び請求項４に係る発明は、甲第２号証ないし甲第４号証に記載された発明に基づいて当業者が容易に発明をすることができたものであるから、特許法第２９条第２項の規定により、その特許を取り消すべき旨、主張する。
（３）証拠方法
　甲第１号証　特願昭６２−２７０４１９号出願の願書に最初に添付された明細書及び図面（特開平１−１１５９４８号公報参照）
　甲第２号証　特開昭５８−１０２２４５号公報
　甲第３号証　特開昭５８−１０２２４４号公報
　甲第４号証　特開昭５８−９７０５５号公報
（３）判断
　上記「ＩＩ．（３）独立特許要件」の欄に示したとおり、本件訂正によって、特許登録時の明細書の請求項２は削除され、請求項４についても請求項２を引用する部分が削除されたため、特許異議申立人が、その特許を取り消すべきと主張する対象は、消滅した。
　したがって、各証拠の内容を検討するまでもなく、本件特許異議申立は理由がないものとなった。
ＩＶ．むすび
　以上の通りであるから、本件特許請求の範囲の請求項１ないし請求項４の各発明に係る特許は、特許異議申立の主張および提出された証拠方法によっては、取り消すことはできない。
　また、他に本件特許を取り消すべき理由を発見しない。
　よって、結論のとおり決定する。
【異議決定日】
平成１１年１２月２２日（１９９９．１２．２２）
【訂正の要旨】
訂正の要旨
　特許第２７６５８４６号発明の明細書を、特許請求の範囲減縮及び特許請求の範囲の減縮に伴う不明りょうな記載の釈明を目的として、下記のとおり訂正する。
　特許明細書の特許請求の範囲に記載された、
「【請求項１】透明なプラスチックフィルムの片面に樹脂成分を主体とする透明な画像定着層が設けられ、もう一方の片面には乳白層が設けられ、全光線透過率が３〜８５％、ヘイズ度が３０〜９８％であることを特徴とする記録用フィルム。
　【請求項２】乳白なプラスチックフィルムの少なくとも片面に樹脂成分を主体とする透明な画像定着層が設けられ、全光線透過率が３〜８５％、ヘイズ度が３０〜９８％であることを特徴とする記録用フィルム。
　【請求項３】前記の透明な画像定着層がゴム系樹脂または／およびスチレン系樹脂を主成分とする溶液と、粒径３〜１００ミリμｍのシリカゾルとの混合液を塗布した層であることを特徴とする特許請求の範囲第１項または第２項記載の記録用フィルム。
　【請求項４】特許請求の範囲第１項、第２項または第３項記載の記録用フィルムの片面にある前記の透明な画像定着層に画像が記録されていることを特徴とする記録済フィルム。
　【請求項５】特許請求の範囲第１項、第２項または第３項記載の記録用フィルムの片面にある前記の透明な画像定着層に画像が記録され、該片面とは別なもう一方の面に同一画像が重複して記録されていることを特徴とする電飾看板フィルム。」との記載を、
「【請求項１】透明なプラスチックフィルムの片面に樹脂成分を主体とする透明な画像定着層が設けられ、もう一方の片面には乳白層が設けられ、全光線透過率が３〜８５％、ヘイズ度が３０〜９８％であることを特徴とする記録用フィルム。
　【請求項２】前記の透明な画像定着層がゴム系樹脂または／およびスチレン系樹脂を主成分とする溶液と、粒径３〜１００ミリμｍのシリカゾルとの混合液を塗布した層であることを特徴とする特許請求の範囲第１項記載の記録用フィルム。
　【請求項３】特許請求の範囲第１項または第２項記載の記録用フィルムの片面にある前記の透明な画像定着層に画像が記録されていることを特徴とする記録済フィルム。
　【請求項４】特許請求の範囲第１項または第２項記載の記録用フィルムの片面にある前記の透明な画像定着層に画像が記録され、該片面とは別なもう一方の面に同一画像が重複して記録されていることを特徴とする電飾看板フィルム。」と訂正する
（５４）【発明の名称】
記録用フィルムと記録済フィルムおよび電飾看板フィルム
（５７）【特許請求の範囲】
　１，透明なプラスチックフィルムの片面に樹脂成分を主体とする透明な画像定着層が設けられ、もう一方の片面には乳白層が設けられ、全光線透過率が３〜８５％、ヘイズ度が３０〜９８％であることを特徴とする記録用フィルム。
２，
項記
３，
または
４，
または
【発明の詳細な説明】
〔産業上の利用分野〕
　本発明は、印刷や各種プリンタにより画像記録が可能な記録用フィルム、その記録用フィルムに画像を記録したフィルムおよびその記録用フィルムに電飾看板としての画像を記録したフィルムに関するものである。
〔従来の技術〕
　電飾看板は筺体の内部にイルミネーションランプが配置され、筐体壁面の半透明フィルムやスリ硝子上に絵画、写真、文字等の画像が記録されている。夜間はイルミネーションランプを点灯させ、昼間は主として外光により画像を外部から観察するものである。壁面の半透明フィルムは、透明度が高ければ、イルミネーションランプをさほど明るくしなくても済む反面、画像の柔和さが失なわれてしまうし、昼間の外光により観察できる画像が不鮮明になってしまう。逆に透明度が低ければ、昼間の外光により観察できる画像が鮮明になる反面、夜間に観察するためのイルミネーションランプを明るくしなければならないし、画像のコントラストが不充分になってしまう。画像のコントラスト不足を補うためには、フィルムの表裏両面に同一画像を印刷したり、同一画像を印刷した２枚のフィルムを重ね合せたりしている。
　半透明フイルムの素材は多くの場合、プラスチックフィルムが使用されている。また半透明フィルムに画像を印刷するには、製版代が安く手軽にでき、画像の階調性も良いため、オフセット印刷が好ましい。しかし通常のインキを用いたオフセット印刷ではインキの乾燥硬化が著しく遅いため、プラスチックフィルムヘの印刷はやりにくい。プラスチックフィルムの表面に画像定着層を設け、オフセット印刷適性を得ているフイルムもあるが、電飾看板に使用するフィルムとしては透明度等の点から性能は満足すべきものではない。また汎用性がある記録用フィルムとしても、例えば前記のオフセット印刷をはじめとし各種印刷、ワイアドットプリンタ、熱転写プリンタによる印字、インクジェット、電子写真による画像記録など多くの記録手段に整合する記録用フィルムは存在しなかった。
〔発明が解決しようとする問題点〕
　本発明は上記に鑑みなされたもので、多種類の記録手段に対応可能な記録用フィルムを提供しようとするものである。同時にその記録用フィルムに鮮明で且つコントラストが高い画像を記録したフィルムおよびその記録用フィルムに電飾看板として最適な状態の画像を記録したフィルムを提供するものである。
〔問題点を解決するための手段〕
　上記の各問題点を解決するための本発明の構成を、実施例に対応する第１図、第２図により以下に説明する。
　第１図に示すように、第１の発明である記録用フィルム１は、透明たプラスチックフィルム３の片面に樹脂成分を主体とする透明な画像定着層４が設けられ、もう一方の片面には乳白層５が設けられ、全光線透過率が３〜８５％、ヘイズ度が３０〜９８％であることを特徴としている。
　第２図に示すように、第２の発明である記録用フィルム１０は、乳白なプラスチックフィルム１２の少なくとも片面に樹脂成分を主体とする透明な画像定着層４が設けられ、全光線透過率が３〜８５％、ヘイズ度が３０〜９８％であることを特徴としている。
　第３の発明である記録用フィルムは、第１の発明（第１図参照）または第２の発明（第２図参照）の記録用フィルム１または１０で画像定着層４がゴム系樹脂または（および）スチレン系樹脂を主成分とする溶液と、粒径３〜１００ミリμｍのシリカゾルとの混合液を塗布した層であることを特徴としている。
　第４の発明である記録済フィルムは、第１の発明（第１図参照）、第２の発明（第２図参照）または第３の発明の記録用フィルム１または１０の片面にある透明な画像定着層４に画像が記録されていることを特徴としている。
　第５の発明である電飾看板フィルムは、第１の発明（第１図参照）、第２の発明（第２図参照）または第３の発明の記録用フィルム１または１０の片面にある透明な画像定着層４に画像７が記録され、その片面とは別なもう一方の面に同一な画像８が重複して記録されていることを特徴としている。
　本発明のフィルムの透明性については、全光線透過率が３〜８５％、ヘイズ度が３０〜９８％が好ましく、より好ましくは、全光線透過率が５〜６０％、ヘイズ度が４０〜９５％である。全光線透過率が３％未満では電飾看板としての効果が得られず、８５％を越える範囲では電飾装置の内部構造が見えてしまう。ヘイズ度が３０％未満では光の拡散にムラがあり、均一な発色を得られず、９８％を越える範囲では光量不足からコントラストがはっきりしない。
　基材としての透明なプラスチックフィルム３は、例えばポリエステルフィルム、ポリエチレンフィルムやポリプロピレンフィルムなどのポリオレフィンフィルム、ポリカーボネイトフィルム、ポリスチレンフィルム、トリアセテートフィルム、ボリエーテルサルフォン（ＰＥＳ）フィルム、ポリエーテルエーテルケトン（ＰＥＥＫ）フィルム、ポリ塩化ビニルフィルム、メチルメタアクリレートをはじめとする各種のアクリルフィルムがある。なかでもポリエステルフィルム、ポリスチレンフィルム、ポリ塩化ビニルフィルムまたはトリアセテートフィルムが好ましい。プラスチックフィルムは下びき処理により画像定着層との密着性を向上させたものを使用してもよい。
　乳白層５は、例えば二酸化硅素、炭酸カルシウム、炭酸マグネシウム、酸化亜鉛、水酸化アルミニウム、酸化チタン、硅酸カルシウム、硅酸アルミニウム、マイカ、クレイ、タルク、アルミナ、ステアリン酸亜鉛、ステアリン酸カルシウム等のフィラーを高分子結着剤に混合した層、発泡や抽出等の手段を用いて高分子結着剤中に空気の微細な気泡を設けたミクロボイド構造による光散乱層である。
　透明なプラスチックフィルム３を基材とする記録用フィルム１は、乳白層５に混合されるフィラー、気泡等の混合量と乳白層５の厚さを調整することにより全光線透過率を３〜８５％、ヘイズ度を３０〜９８％に保つことができる。
　基材としての乳白なプラスチックフィルム１２は、例えば二酸化硅素、炭酸カルシウム、炭酸マグネシウム、酸化亜鉛、水酸化アルミニウム、酸化チタン、硅酸カルシウム、硅酸アルミニウム、マイカ、クレイ、タルク、アルミナ、ステアリン酸亜鉛、ステアリン酸カルシウム等のフィラーや空気等、微細な気泡が混合されることによって乳白化されたポリエステルフィルム、ポリエチレンフィルムやポリプロピレンフィルムなどのポリオレフィンフィルム、ポリスチレンフィルム、トリアセテートフィルム、ポリエーテルサルフォン（ＰＥＳ）フィルム、ポリエーテルエーテルケトン（ＰＥＥＫ）フィルム、ポリ塩化ビニルフィルム、メチルメタアクリレートをはじめとする各種のアクリルフィルムなどが使用される。
　乳白なプラスチックフィルム１２を基材とする記録用フィルム１０は、フィルムに対するフィラーや気泡の混合量とフィルムの厚さを調整することにより全光線透過率を３〜８５％、ヘイズ度を３０〜９８％に保つことができる。
　画像定着層４を構成する樹脂の組成物はゴム系樹脂の組成物またはスチレン系樹脂の組成物である。両者の混合物でもよい。前者の例は、スチレン−ブタジエン共重合体、アクリルニトリル−ブタジエン共重合体、メタクリル酸エステル−ブタジエン共重合体、アクリルニトリル−スチレン−ブタジエン共重合体、メタクリル酸エステル−スチレン−ブタジエン共重合体又はこれらの置換誘導体である。置換誘導体としては、例えばカルボキシル化したもの、またはそれをアルカリ反応性にしたものなどがある。これらの組成物は１種類でも複数種混合したものでもよい。後者の例は、スチレン化アルキッド樹脂、スチレン−アクリル酸エステル共重合体、スチレン−メタクリル酸エステル共重合体またはこれらの置換誘導体である。置換誘導体としては、例えばカルボキシル化したもの、またはそれをアルカリ反応性にしたものなどがある。これらの組成物は１種類でも複数種混合したものでもよい。
　またシリカゾルは、コロイダルシリカとも呼ばれ、シリカの粒子径が３〜１００ミリμｍである。シリカ粒子同志は、脱水縮合してシロキサン結合を形成し、ミクロポーラスな構造を造りながらも塗膜硬度が上り、画像定着層表面の耐傷性が向上する。シリカゾルには、水に分散した形でナトリウムイオン等の陽イオンによって安定化されている水性シリカゾルと、シリカ表面を疎水化処理することによって有機溶剤に分散可能な形にしたオルガノゾルが存在する。これらのうちから塗料系に応じて適宜選択することができる。画像定着層に用いるゴム系樹脂または（および）スチレン系樹脂にヒドロキシル基を導入し、シリカゾルとＳｉ−０−Ｒ（Ｒは有機樹脂）の形で、例えば脱水縮合させる方法により、有機樹脂と化学的に結合した複合体の形でシリカゾルを混入しても良い。またシリカゾル複合体にシリカゾルをさらに混入した形でも良い。
　ゴム系樹脂または（および）スチレン系樹脂成分とシリカゾルのシリカ成分との重量比は１００：１５〜１５０であることが好ましい。樹脂成分１００に対し、シリカ成分が１５以下であるとシリカゾルを混合した効果が殆んど表われない。１５０以上であると画像定着層が白化したり、クラックを生じてうまく成膜されず、脆い塗膜となる。
　画像７および８は、オフセット印刷をはじめとしグラビア印刷、スクリーン印刷などの他の印刷手段、ワイアドットプリンタ、熱転写プリンタによる印字、インクジェット、電子写真による画像記録など公知の手法により形成される。特に透明な画像定着層４が上記の組成物である場合には、画像７はオフセント印刷によって優れたものが形成される。
〔作用〕
　上記第１の発明、第２の発明および第３の発明の記録用フィルム１および１０は、表面に画像定着層４を設けてあり、その面に対する印刷インキ、トナー等の密着性（濡れ）、吸収性および乾燥硬化性が良い。例えばオフセット印刷のインキは、ビヒクル中の溶剤成分が吸収乃至は蒸発されつゝ乾性油が酸化重合してゆくものと考えられ、酸化重合が完了して乾燥硬化するには時間がかゝる。フィルム表面の画像定着層にインキが強く保持され、溶剤成分が画像定着層に吸収されてインキの粘度が充分に上がるため、インキのセットが速く乾性油の酸化重合による乾燥硬化が不完全なまゝフィルムが積み重ねられても汚れることがない。
　特に第３の発明では画像定着層を構成する塗膜成分にシリカゾルを混入することによって、その塗膜成分が乾燥成膜するときに、シリカゾルのヒドロキシル基同士が脱水縮合して、シロキサン結合Ｓｉ−０−Ｓｉをつくり強固な三次元網目構造を形成する。そのため画像定着層表面の塗膜硬度が上がり、耐傷性が向上する。また、画像定着層にシリカゾルが混入してあるから、記録用フィルムが、大量に積み重ねて保存されているとき、高温や高温多湿の環境下に長時間放置されても、フィルム同士のくっつくブロッキング現象が生じない。このような耐熱性や耐湿熱性も著しく改良される。さらにシリカゾルを混入することによって、画像定着層表面の電気抵抗値を１／１０〜１／１００に下げることができ、摩擦帯電により発生する静電気に起因する障害を防止できる。混入されるシリカゾルは、粒径が３〜１００ミリμｍと小さく、ミクロボイド構造をつくる。従って可視光部の波長４００〜７００ミリμｍに比べて、充分に小さいために光散乱による塗膜の透明性の低下がないという利点がある。
　全光線透過率、ヘイズ度を前記範囲にすることにより記録用フィルムに記録される画像を透過光で観察する場合でも、外光で観察する場合でも、好ましい程度に透明度を保つことができる。
　第４の発明の記録済フィルムでは、上記の記録用フィルムの透明な画像定着層４に画像７が記録されている。そのため、画像７はいわゆる光学的ドットゲイン効果が起こり、画像のコントラストが向上する。この光学的ドットゲイン効果とは、白層の上に薄い透明層を介して網点画像を形成した場合に、網点周辺で白層により反射した外光の一部が透明層を通って網点により吸収されるため、白層の上に直接画像を形成した場合より、濃度が濃く見えることであり、そのため外光により観察できる画像が鮮明になる。よって、乳白色プラスチックフィルムに透明な画像定着層を設けた第２の発明の記録用フィルムよりも、透明なプラスチックフィルムに透明な画像定着層を設けた第１の発明の記録用フィルムの方が透明層はより厚く、このトットゲイン効果が大きくなる。
　第５の発明電飾看板フィルムでは、上記の記録用フィルムの表裏に同一な画像が重複して記録されているため、夜間、イルミネーションランプによる透過光で画像を観察する場合に充分なコントラストが得られる。昼間、イルミネーションランプを点灯せずに外光で画像を観察する場合にも、透明な画像定着層４に記録されている画像７は、上記の光学的ドットゲイン効果により充分なコントラストか得られる。
〔実施例〕
　以下、本発明の代表的な実施例を説明する。なお比較例は本発明を適用外の例である。
実施例１
　易接着加工を施されている厚さ１００μｍの透明なポリエステルフィルム（Ｍｅｌｉｎｅｘ５０５英国ＩＣＩ社製）の片面に、メタクリル酸メチル−ブタジエン共重合ラテックスと水性シリカゾル（平均粒径１２ミリμｍ）との固型分重量比がｌ：ｌからなる混合物水性塗料（固型分３０重量％）を、リバースロールコータを用いて塗布し、１２０℃の乾燥炉で１分間乾燥する。得られたフィルムには、メタクリル酸メチル−ブタジエン共重合ラテックスの画像定着層７μｍが形成された。
　そのフィルムの裏面には乳白層として、
　合成シリカ
　（サイロイド２４４、平均粒子径２．５μｍ、富士デヴィソン化学（株）製）
　　　　　　　　　　　（１４重量％）　３．１重量部
　沈降性炭酸カルシウム（１８重量％）　４．０重量部
　ルチル型酸化チタン　（６８重量％）１４．９重量部
　飽和ポリエステル樹脂　　　　　　　１２　　重量部
　メチルエチルケトン　　　　　　　　１５　　重量部
　トルエン　　　　　　　　　　　　　５０　　重量部
　分散剤　　　　　　　　　　　　　　　１　　重量部
　（ただし括弧内の重量％は全粉粒体中の割合）
　からなる配合の溶液をワイヤーバーコータで塗布後、１２０℃で乾燥して厚さ７μｍの乳白層を形成する。
　実施例２
　厚さ１００μｍのポリカーボネイトフィルムの片面に、リバースロールコータを用いて、以下の配合の液を塗布する。
　四級アンモニウム塩カチオン型アクリル樹脂・・
　（セビアンＡ８３０、固型分３０重量％、
　　ダイセル化学工業（株）製）　３０　　重量部
　合成シリカ
　（サイロイド２４４、平均粒子径３．５μｍ、
　富士デヴィソン化学（株）製）
　　　　　　　　　　　　　　　　　０．５重量部
　メチルアルコール　　　　　　　４０　　重量部
　トルエン　　　　　　　　　　　３０　　重量部
　塗布面を１２０℃で１分間乾燥して、帯電防止処
理層を形成した。反対側の面に、スチレン−アクリル酸エステル−シリカゾル複合体（シリカゾル５０％重量部）のエマルジョン塗料（固型分２５％）を、ワイヤーバーコータを用いて塗布し１１０℃で２分間、送風乾燥して、厚さ１０μｍの画像定着層を形成した。
　そのフィルムの裏面には、乳白層として以下の配合の塗料を塗布する。
　合成シリカ（サイロイド２４４）
　　　　　　　　　　　（１２重量％）２．８重量部
　沈降性炭酸カルシウム（４０重量％）９．２重量部
　ルチル型酸化チタン　（２８重量％）６．４重量部
　ポリエステル−メラミン系樹脂
　（ＳＦ−１３４、固形分３５％、大日本インキ化学工業（株）製）
　　　　　　　　　　　　　　　　　２３　重量部
　ニトロセルロース樹脂　　　　　　　４　重量部
　硬化剤（ハードナーβ、大日本インキ化学
　　　　　工業（株）製）　　　　　　１　重量部
　メチルエチルケトン　　　　　　　４０　重量部
　トルエン　　　　　　　　　　　　１０　重量部
　これを１４０℃の乾燥炉で２分間乾燥し、厚さ１０μｍの塗膜層を形成した。
実施例３
　実施例２の画像定着層を形成するための塗料を
以下の配合に変えて他は実施例２と同様に操作することによって、表面に厚さ１０μｍの画像定着層を有するポリカーボネイトフィルムを得た。
　スチレン−アクリル酸エステル−シリカゾル複
　　合体エマルジョン
（固型分　４５％、　固型分中５０％重量部シリカゾル）
５０　重量部　水性シリカゾル溶液
　（固型分４０％、平均粒径１０ミリμｍ）２０　重量部
　水　　　　　　　　　　　　　　　　　３０　重量部
　本実施例の画像定着層中には、スチレン−アクリル共重合樹脂１００重量部に対して、１７０重量部のシリカゾルが含まれている。
実施例４
　厚さ７５μｍの乳白色ポリエステルフィルム（ダイアホイル　Ｗ３００、ダイアホイル（株）製）の片面にリバースロールコータを用いてカルホキシル化スチレンーブタジエン共重合ラテックスと水溶性ポリエステル樹脂の混合物（固型分比８：２）からなる水性塗料（固型分２５重量％）を塗布し、１３０℃の乾燥炉で２分間乾燥する。得られたフィルムにはカルボキシル化スチレン−ブタジエン共重合体とポリエステル系樹脂の８：２重量比からなる画像定着層７μを形成した。
比較例１
　易接着加工を施されている厚さ１００μｍの透明なポリエステルフィルム（ＨＰ−７帝人（株）製）の片面に、メタクリル酸メチル−ブタジエン共重合ラテックスと水性シリカゾル（平均粒径１２ミリμｍ）との固型分重量比が１：１からなる混合物水性塗料（固型分３０重量％）を、リバースロールコータを用いて塗布し、１２０℃の乾燥炉で１分間乾燥し、フィルムにメタクリル酸メチル−ブタジエン共重合ラテックスの画像定着層７μｍを形成した。
比較例２
　二軸延伸ポリエステルフィルム（厚さ１００＃ｍ）に、以下の配合の塗料を塗布する。
　合成シリカ（サイロイド２４４）
　　　　　　　　　　　　（２０重量％）４．４重量部
　沈降性炭酸カルシウム　（１５重量％）３．３重量部
　ルチル型酸化チタン　（６５重量％）１４．４重量部
　飽和ポリエステル樹脂　　　　　　　１２　　重量部
　メチルエチルケトン　　　　　　　　１５　　重量部
　トルエン　　　　　　　　　　　　　５０　　重量部
　分散剤　　　　　　　　　　　　　　　１．０重量部
　これを１２０℃の乾燥炉で１分間乾燥し、片面に厚さ１０μｍの塗膜層を形成した。
比較例３
　厚さ２５０μｍの乳白色ポリエステルフィルム（ダイアホイル　Ｗ３００、ダイアホイル（株）製）の片面に、実施例４と同様の操作を行い、そのフィルムの裏面には、乳白層として実施例２と同様の操作を行なった。
　実施例１〜４、比較例１〜３により得られた７種類のフィルムを所定の大きさに裁断し、枚葉フィルムにする。その枚葉フィルムを乾性油タイプのインキを用いてオフセット印刷機にかけ、実際に多色印刷をする。印刷強度は、印刷面に粘着テープを貼り付け勢いよく剥がした場合に、印刷が剥離する度合により良否を判定する。全光線透過率及びヘイズ度はＪＩＳＫ７１０５に規定された測定法により夫々測定した。
　その結果およびフィルムの物性が次表に示されている。
〔発明の効果〕
　以上説明したように、本発明を適用した記録用フィルムは画像定着層があるため、印刷後、ただちにフィルムを積み重ねても、裏移りしたりして汚れることがなく印刷適性が優れている。また塗膜表面の耐傷性、耐熱性、耐湿熱を著しく向上させると共に、表面の電気抵抗値を下げるという効果も示す。したがって枚葉状のフィルムにしてオフセット印刷するのに最適である。
　この記録用フィルムを用いた印刷物は、例えばオーバーヘッドプロジェクタの記録フィルム、キャシュカードや定期券などの各種カード類、カレンダ、ラベル類、ランプシェード、電飾用フィルムなど各種用途に使用が可能であり、鮮明で且つコントラストが高い画像が得られる。
　特に電飾用フィルムでは、透過光で画像を観察する場合は勿論、外光で観察する場合でも、深みのある画像となる。
【図面の簡単な説明】
　第１図、第２図は本発明の記録用フィルムに画像を記録した実施例の断面図である。
　１、１０・・・・・記録用フィルム
　３・・・・・透明プラスチックフィルム
　４・・・・・画像定着層　　５・・・・・乳白層
　７、８・・・・・画像
　１２・・・・・乳白プラスチックフィルム